(57)【要約】      （修正有）【課題】広告板を支える装置が簡単でかつ少ない部品形状で構成された、車両の屋根に広告板を載置する装置を提示する。【解決手段】Ｌ枠９と、ビス溝１０付きの中空枠１１とを、溝１３，１３を設けるように一体成形し、外枠８とする。外枠８を前後外枠１４、左右外枠１５として配し、これをコーナー金具１６を用いて連結し枠組３，５を作る。外枠８からなる縦外枠４をコーナー金具１６に固定し、枠組を下枠組３と、上枠組５とさせる。上枠組５の左右外枠１５にスピーカーフレーム６を固定し、下枠組３の前後外枠１４にキャリアフレーム２９を固定する。両フレーム６，２９のアリ溝２４にボルト２６のヘッドを摺動させスピーカーとキャリアへの取付位置を自在に選定可能とする。【選択図】図２
2005106955.tif 000002
【特許請求の範囲】
【請求項１】
Ｌ枠と中空枠とをビス溝と対の溝を設けるよう一体成形した外枠を前後外枠および左右外枠として配しコーナー金具を用いて結合した枠組と、外枠よりなる縦外枠と、対の該枠組をその溝を対向させるよう離間させ、縦外枠をコーナー金具に結合させ対の枠組を上下枠組とし、下枠組の前後外枠にその端部を固定し、かつ車両のキャリアに支持されるキャリアフレームを備える車上看板装置。
【請求項２】
上枠組の左右外枠に固定したスピーカーフレームを備える請求項１記載の車上看板装置。
【請求項３】
キャリアフレームとスピーカーフレームとがアリ溝を有する同一断面形状よりなる請求項２記載の車上看板装置。
【請求項４】
コーナー金具は外枠の端部と接する平板と該平板より直立し外枠の側面と接する支持片と、外枠の他の側面と当接する押え片とを有し、コーナー金具が縦外枠の端部を受ける空間を有する請求項３記載の車上看板装置。
【請求項５】
上下枠組と縦外枠の溝が連続し、該溝に看板の側縁が挿入される請求項４記載の車上看板装置。
【請求項６】
キャリアフレームとスピーカーフレームのアリ溝にボルトのヘッドを配した請求項５記載の車上看板装置。
【請求項７】
外枠のビス溝が中空枠と一体に設けられかつ外枠の中心部に位置する請求項６記載の車上看板装置。
【請求項８】
外枠、スピーカーフレームおよびキャリアフレームがアルミニウム合金の押出形材よりなる請求項１乃至７の何れかに記載の車上看板装置。
【発明の詳細な説明】
【技術分野】
【０００１】
本発明は、車両の屋根上に設置される看板装置に関する。
【背景技術】
【０００２】
車両の屋根上に広告板を取り付け、車両を走行させながら広告板の文字や図案を街を行く人々に印象付ける広告手段が用いられている。
特に、選挙中は、候補者の名前と所属する党を明記した看板を車上に固定した選挙カーが一日中走りまわる。
【０００３】
このような車上に看板を固定させる一つの手段は、実開平３−６０３９２号公報に見られる如く、車両の屋根の両側に対のキャリアの端部を固定し、該キャリアに略Ｕ字状の枠を取り付けるものである。広告板は枠の側部の中空部内に広告板の側部の柱を差し込むことで枠に支持される。広告板は車両の走行方向に向き、側方（ドアサイド）から広告板が読めない。
【０００４】
実開昭５６−４５８７８号公報は車上の前後部と両側部の４面に広告板を配置することを開示する。この例は、広告板の縁を差し込み可能とする枠を上下両側に配し枠組を作り、この枠組を車上の前後に配し、この前後の枠組に上下側枠の端部を固定させている。
【０００５】
【特許文献１】実開平３−６０３９２号公報
【特許文献２】実開昭５６−４５８７８号公報
【発明の開示】
【発明が解決しようとする課題】
【０００６】
実開平３−６０３９２号公報に開示される例は、車両の側部に広告板がなく、かつ車両の悪路走行中、広告板の枠組からの抜けの危険があり、そのための安全装置を必要とする不具合がある。
【０００７】
さらに、実開昭５６−４５８７８号公報に開示される例は上下枠と縦枠、両枠の各コーナー部の固定手段と夫々個別に設計された部品を必要とし、部品管理が煩わしく、又、組立が複雑という不具合がある。
【０００８】
それ故に、本発明は、前述した不具合を解消させることを解決すべき課題とする。
【課題を解決するための手段】
【０００９】
本発明は、Ｌ枠とビス孔付きの中空枠とを一体に押出成形した外枠を前後左右外枠として用い、そのコーナー部をコーナー金具を用いかつ縦外枠の挿入を可能とするよう組み付ける技術手段を用いる。
【００１０】
本発明は、組付枠にスピーカーフレームおよび／又はキャリアフレームを取付金具を用いて固定する。
【００１１】
本発明によれば、Ｌ枠と中空枠とをビス溝と対の溝を設けるよう一体成形した外枠を前後外枠および左右外枠として配しコーナー金具を用いて結合した枠組と、外枠よりなる縦外枠と、対の該枠組をその溝を対向させるよう離間させ、縦外枠をコーナー金具に結合させ対の枠組を上下枠組とし、下枠組の前後外枠にその端部を固定し、かつ車両のキャリアに支持されるキャリアフレームを備える車上看板装置が提供される。
【発明の効果】
【００１２】
本発明によれば、同一断面形状の外枠を用いて枠組を作り、上下枠組を外枠と同一断面形状の縦外枠でつなぎ枠組と縦外枠に看板の縁を挿入するのみであるので、組付作業が極めて容易である。
【００１３】
外枠を構成するＬ枠と中空枠との間に溝が形成されており、看板の縁を溝に挿入すればよいので、看板の取り付けは容易である。
【００１４】
枠組を構成する前後左右の外枠のコーナー部のコーナー金具に縦外枠を挿入し、コーナー金具を介してビスを縦外枠のビス溝にねじ込むことで容易に装置の組み付けが可能である。
【００１５】
枠組へのスピーカーフレームおよび／又はキャリアフレームは取付金具を用いて固定できるので作業は容易である。フレームはアリ溝を有し、ボルトのヘッドをアリ溝内でスライドさせることで、スピーカーやキャリアの取付位置を自在に選択できる。
【発明を実施するための最良の形態】
【００１６】
本発明の図１に示す車上看板装置１は車上に固定したキャリア２，２に支持される下枠組３と、４本の縦外枠４と、上枠組５と、看板７とを有し、上枠組５はスピーカーフレーム６を備える。
図２と図３に看板装置１を示す。上下枠組３，５と縦外枠４を構成する外枠８は、図３に示すように、Ｌ枠９と、略方形のビス溝１０付きの中空枠１１と、連結壁１２によって画定される対の溝１３とを有す。溝１３は看板７の縁を受け入れる大きさとなっている。
【００１７】
上下枠組３，５は実質的に同一構成で、下枠組３を反転させることで上枠組５となるので、下枠組３に用いた符号を上枠組５に付し、その説明を一部省略する。
上下枠組３，５は、前後外枠１４，１４と左右外枠１５，１５とからなりその断面形状は図３に示す外枠８と同一のもので、溝１３が対向する枠組の方に向くように配し、前後外枠１４と左右外枠１５とが図３に示すようにその縁を合わせるように配す。両外枠１４，１５はコーナー金具１６によって連結される。
【００１８】
コーナー金具１６は、平板１７よりＬ形に起立する支持片１８と、支持片１８に沿う外枠１４，１５の内側に当接する押え片１９を有し、平板１７にビス２０を通すバカ孔２１が穿設される。外枠１４，１５と支持片１７，１８により画定される空間に縦外枠４を挿入し、ビス２０をバカ孔２１を介して縦外枠４のビス孔１０にねじ込み縦外枠４をコーナー金具１６に結合させる。コーナー金具１６と前後外枠１４と左右外枠１５とをポップリベット２３を用いて固定させる。
【００１９】
コーナー金具１６を上下枠組３，５の各コーナー部に配し、方形の枠組を作る。一方の枠組の溝１３と他方の枠組の溝１３とを離間対向させ、看板７の縁を溝１３に挿入した縦外枠４をコーナー金具１６に挿入しながら看板７を上下枠組３，５の溝１３に差し込み、ビス２０をコーナー金具１６を介して縦外枠４のビス溝１０にねじ込み看板７を枠組に組み付ける。
これとは別に、下枠組３に縦外枠４の下端部をコーナー金具１６を介して結合する。次いで、下枠組３と縦外枠４の溝１３に看板７を落とし込み、最後に、上枠組５を縦外枠４の上端部に結合し、かつ看板７の上側縁を上枠組５の溝１３に差し込み看板装置１を構成しても良い。
【００２０】
スピーカーフレーム６は、図４に示す如く、左右外枠１５にその端部をＬ形の取付金具２２にポップリベット２３を用いて固定させる。
スピーカーフレーム６はアリ溝２４を有する中空形材よりなり、アリ溝２４にはその両端のカット部２５を介してボルト２６のヘッドを差し込み該ヘッドをアリ溝２４に沿って移動自在とさせる。
【００２１】
スピーカーブラケット２７は、スピーカーを支持するもので、その形状は図４に示す例に限定されることはない。スピーカーブラケット２７はボルト２６とナット２８を用いてスピーカーフレーム６に固定される。ボルト２６をアリ溝２４に沿って移動させることでスピーカーブラケット２７の位置を任意に選定できる。
【００２２】
図５を参照する。キャリアフレーム２９はスピーカーフレーム６と同一押出形材を用い、アリ溝２４にボルト２６のヘッドをカット部２５を介して挿入し、対のボルト２６，２６間にキャリア２を配し、ブラケット３０をキャリア２の下側に位置させナット２８をボルト２６に締め付ける。
キャリアフレーム２９の前後外枠１４への固定は取付金具２２をポップリベット２３を用いてキャリアフレーム２９と前後外枠１４に固定することで行う。
【００２３】
スピーカーフレーム６とキャリアフレーム２９とは同一押出形材を用いかつ同一取付金具２２を用いて左右外枠１５に取り付け可能であり、部品管理が容易となる。スピーカーフレーム６はスピーカーに代えて他の物の支持に使用でき、スピーカーの支持のためだけにその用途は限定されない。
【００２４】
上枠組５を構成する前後外枠１４と左右外枠１５の横向きの溝１３が使用されていないので、この溝１３を用いて平板を配し、上方からの商品の広告や選挙の候補者の名前を認識可能としても良い。看板７や平板はベニヤ板や合成樹脂板より作製する。
【図面の簡単な説明】
【００２５】
【図１】本発明の一例の取付状態を示す斜視図である。
【図２】本発明の一例の看板装置の分解斜視図である。
【図３】前後外枠と左右外枠と縦外枠との組付状態を示す斜視図である。
【図４】スピーカーフレームの取り付けを示す斜視図である。
【図５】キャリアフレームの取り付けを示す斜視図である。
【符号の説明】
【００２６】
１    看板装置
２    キャリア
３，５    枠組
４    縦外枠
６    スピーカーフレーム
７    看板
８    外枠
９    Ｌ枠
１０    ビス溝
１１    中空枠
１３    溝
１４    前後外枠
１５    左右外枠
１６    コーナー金具
１７    平板
１９    押え片
２０    ビス
２２    取付金具
２４    アリ溝
２７    スピーカーブラケット
２９    キャリアフレーム
３０    ブラケット
【図１】
2005106955.tif 000003
【図２】
2005106955.tif 000004
【図３】
2005106955.tif 000005
【図４】
2005106955.tif 000006
【図５】
2005106955.tif 000007